【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
テラヘルツ光を用いて紙葉類の真偽を判別する方法であって、
検査対象である紙葉類の厚さの数分の１〜数倍の波長のテラヘルツ光を紙葉類に対して照射し、
紙葉類の表面および裏面で反射されるテラヘルツ反射光を検出し、
検出したテラヘルツ反射光に基づいて紙葉類の基材の屈折率を算出し、
算出した屈折率が所定の屈折率であるか否かに基づいて、紙葉類の真偽を判別することを特徴とする紙葉類の真偽判別方法。
【請求項２】
検査対象である紙葉類の厚みを検知する厚み検知ステップを含み、
厚み検知ステップにおいて検知された紙葉類の厚みを用い、前記紙葉類の基材の屈折率を算出することを特徴とする、請求項１記載の紙葉類の真偽判別方法。
【請求項３】
テラヘルツ光を用いて紙葉類の真偽を判別する方法であって、
検査対象である紙葉類の厚さ〜その厚さの約２０倍の波長のテラヘルツ光を偏光Ｐ波および偏光Ｓ波に制限し、偏光Ｐ波および偏光Ｓ波をそれぞれ紙葉類に対して照射し、
紙葉類の表面および裏面で反射される各テラヘルツ光の偏光Ｐ波および偏光Ｓ波毎に、テラヘルツ反射光を検出し、
検出したテラヘルツ反射光の偏光Ｐ波および偏光Ｓ波の反射率を求め、
該反射率を用いて紙葉類の基材の屈折率を算出し、算出した屈折率が所定の屈折率であるか否かに基づいて、紙葉類の真偽を判別することを特徴とする紙葉類の真偽判別方法。
【請求項４】
テラヘルツ光を用いて紙葉類の真偽を判別する装置であって、
検査対象である紙葉類の厚さ〜その厚さの約２０倍の波長のテラヘルツ光を紙葉類に対して照射するための送信子と、
紙葉類の表面および裏面で反射されるテラヘルツ反射光を受信するための受信子と、
前記受信子で受信されたテラヘルツ反射光に基づいて紙葉類の基材の屈折率を算出する屈折率算出手段と、
前記屈折率算出手段で算出された屈折率に基づいて、紙葉類の真偽を判別する判別手段と、
を含むことを特徴とする紙葉類の真偽判別装置。
【請求項５】
前記検査対象である紙葉類の厚みを検出するための厚み検出装置をさらに備え、
前記紙葉類の屈折率を算出する手段は、前記厚み検出装置で検出された紙葉類の厚み情報に基づいて紙葉類の屈折率を計算することを特徴とする、請求項４記載の紙葉類の真偽判別装置。
【請求項６】
前記テラヘルツ光を紙葉類に対して照射する送信子および紙葉類で反射されるテラヘルツ反射光を検出する受信子は、送信・受信対ユニットとなっており、かつ、当該送信・受信対ユニットは、少なくとも２組設けられていて、一方はテラヘルツ光の偏光Ｐ波の送信および受信を行い、他方はテラヘルツ光の偏光Ｓ波の送信および受信を行うことを特徴とする、請求項４または５記載の紙葉類の真偽判別装置。
【請求項７】
前記演算手段は、前記テラヘルツ光の偏光Ｐ波と偏光Ｓ波との反射率の比を算出し、
当該反射率の比が所定の値の範囲内にあるか否かにより紙葉類の真偽を判別することを特徴とする、請求項６記載の紙葉類の真偽判別装置。
【請求項８】
テラヘルツ光を用いて紙葉類の真偽を判別する方法であって、
検査対象である紙葉類の厚さの数分の１〜数倍の波長のテラヘルツ光を偏光Ｐ波および偏光Ｓ波に制限し、偏光Ｐ波および偏光Ｓ波をそれぞれ紙葉類に対して照射し、
各偏光Ｐ波および偏光Ｓ波毎に、紙葉類の表面および裏面で反射されるテラヘルツ反射光を検出し、検出した偏光Ｐ波のテラヘルツ反射光および偏光Ｓ波のテラヘルツ反射光の反射光量の比を算出し、
前記反射光量の比が所定の値の範囲にあるか否かに基づいて、紙葉類の真偽を判別することを特徴とする紙葉類の真偽判別方法。
【手続補正２】
【補正対象書類名】明細書
【補正対象項目名】００１０
【補正方法】変更
【補正の内容】
【００１０】
請求項２記載の発明は、検査対象である紙葉類の厚みを検知する厚み検知ステップを含み、厚み検知ステップにおいて検知された紙葉類の厚みを用い、前記紙葉類の基材の屈折率を算出することを特徴とする、請求項１記載の紙葉類の真偽判別方法である。
【手続補正３】
【補正対象書類名】明細書
【補正対象項目名】００１１
【補正方法】変更
【補正の内容】
【００１１】
請求項３記載の発明は、テラヘルツ光を用いて紙葉類の真偽を判別する方法であって、検査対象である紙葉類の厚さ〜その厚さの約２０倍の波長のテラヘルツ光を偏光Ｐ波および偏光Ｓ波に制限し、偏光Ｐ波および偏光Ｓ波をそれぞれ紙葉類に対して照射し、紙葉類の表面および裏面で反射される各テラヘルツ光の偏光Ｐ波および偏光Ｓ波毎に、テラヘルツ反射光を検出し、検出したテラヘルツ反射光の偏光Ｐ波および偏光Ｓ波の反射率を求め、該反射率を用いて紙葉類の基材の屈折率を算出し、算出した屈折率が所定の屈折率であるか否かに基づいて、紙葉類の真偽を判別することを特徴とする紙葉類の真偽判別方法である。
【手続補正４】
【補正対象書類名】明細書
【補正対象項目名】００１２
【補正方法】変更
【補正の内容】
【００１２】
請求項４記載の発明は、テラヘルツ光を用いて紙葉類の真偽を判別する装置であって、検査対象である紙葉類の厚さ〜その厚さの約２０倍の波長のテラヘルツ光を紙葉類に対して照射するための送信子と、紙葉類の表面および裏面で反射されるテラヘルツ反射光を受信するための受信子と、前記受信子で受信されたテラヘルツ反射光に基づいて紙葉類の基材の屈折率を算出する屈折率算出手段と、前記屈折率算出手段で算出された屈折率に基づいて、紙葉類の真偽を判別する判別手段と、を含むことを特徴とする紙葉類の真偽判別装置である。
【手続補正５】
【補正対象書類名】明細書
【補正対象項目名】００１３
【補正方法】変更
【補正の内容】
【００１３】
請求項５記載の発明は、前記検査対象である紙葉類の厚みを検出するための厚み検出装置をさらに備え、前記紙葉類の屈折率を算出する手段は、前記厚み検出装置で検出された紙葉類の厚み情報に基づいて紙葉類の屈折率を計算することを特徴とする、請求項４記載の紙葉類の真偽判別装置である。
請求項６記載の発明は、前記テラヘルツ光を紙葉類に対して照射する送信子および紙葉類で反射されるテラヘルツ反射光を検出する受信子は、送信・受信対ユニットとなっており、かつ、当該送信・受信対ユニットは、少なくとも２組設けられていて、一方はテラヘルツ光の偏光Ｐ波の送信および受信を行い、他方はテラヘルツ光の偏光Ｓ波の送信および受信を行うことを特徴とする、請求項４または５記載の紙葉類の真偽判別装置である。
【手続補正６】
【補正対象書類名】明細書
【補正対象項目名】００１４
【補正方法】変更
【補正の内容】
【００１４】
請求項７記載の発明は、前記演算手段は、前記テラヘルツ光の偏光Ｐ波と偏光Ｓ波との反射率の比を算出し、当該反射率の比が所定の値の範囲内にあるか否かにより紙葉類の真偽を判別することを特徴とする、請求項６記載の紙葉類の真偽判別装置である。
請求項８記載の発明は、テラヘルツ光を用いて紙葉類の真偽を判別する方法であって、検査対象である紙葉類の厚さの数分の１〜数倍の波長のテラヘルツ光を偏光Ｐ波および偏光Ｓ波に制限し、偏光Ｐ波および偏光Ｓ波をそれぞれ紙葉類に対して照射し、各偏光Ｐ波および偏光Ｓ波毎に、紙葉類の表面および裏面で反射されるテラヘルツ反射光を検出し、検出した偏光Ｐ波のテラヘルツ反射光および偏光Ｓ波のテラヘルツ反射光の反射光量の比を算出し、前記反射光量の比が所定の値の範囲にあるか否かに基づいて、紙葉類の真偽を判別することを特徴とする紙葉類の真偽判別方法である。